(57)【特許請求の範囲】
【請求項１】
遊技板の前面に取り付けられる飾り物の遊技板の前面から前側に離れた前面に設けられ、遊技板の裏面からの電力供給により所定色に発光表示する遊技機の電飾装置であって、飾り物の前面とほぼ同じ外形を有する表示プレート、表示プレートの裏面に付設されたエレクトロルミネッセンスプレート、エレクトロルミネッセンスプレートの裏面に付設された接着剤および剥離紙から構成され、表示プレートは、光透過性樹脂板の裏面に光透過性を有するデサイン化された意匠印刷、意匠印刷の表示部以外の部分に遮光部を構成する遮光印刷、意匠印刷の遮光印刷抜きされた部分で構成された表示部を備えた構成であり、エレクトロルミネッセンスプレートは、透明電極、背面電極、透明電極と背面電極との間に設けられた発光層、透明電極と背面電極とから一体に延びて飾り物を経由して遊技板の裏面に引き出される引き出し線、透明電極と背面電極との絶縁を保持するとともに透明電極の引き出し線と背面電極からの引き出し線との絶縁を保持する絶縁層とを備えたことを特徴とする遊技機の電飾装置。
【請求項２】
遊技板の裏面に引き出された透明電極からの引き出し線の端部は、絶縁層の一表面が剥ぎ取られて引き出し線を露出した接続端子部を構成し、遊技板の裏面に引き出された背面電極からの引き出し線の端部は、絶縁層の一表面が剥ぎ取られて引き出し線を露出した接続端子部を構成し、飾り物における遊技板の裏側に突出した背部ユニットにはクリップが設けられ、遊技板の裏面には、エレクトロルミネッセンスプレートへの電力供給用の電気ユニットが設けられ、電気ユニットから延びる電気ユニット側フラットケーブルには露出する複数の導電体を有する接続端子部が設けられ、電気ユニット側フラットケーブルにおける接続端子部の複数の導電体と透明電極からの引き出し線の接続端子部に露出する導電体と背面電極からの引き出し線の接続端子部に露出する導電体とが互いにその極性を間違えないように重ね合わせられたままクリップの相対峙する二つの挟持片の間の隙間に上方より挿入されることによってクリップの相対峙する二つの挟持片の弾性押圧下で重ね合わせに接続されたことを特徴とする請求項１記載の遊技機の電飾装置。
【発明の詳細な説明】
【０００１】
【産業上の利用分野】
この発明はパチンコ機、スロットマシンなどの遊技機に用いられ、特にプレート状やフィルム状など薄物の電飾装置に関する。
【０００２】
【従来の技術】
パチンコ機にあっては、ストップランプ、賞球ランプ、入賞口、風車、ランプ風車、センタ役物、大入賞口、バンド飾りおよびサイドランプなど多種類の飾り物を、遊技板の前面に存在するセル板上に取り付けてあり、これらの飾り物のうちで、発光表示による電飾効果を出す場合には、飾り物の前面に位置する意匠パターンの裏側に電球または発光ダイオード（ＬＥＤ）などの光源を配置し、この光源に遊技板の裏面に取り付けた電気ユニットから電力を供給し、光源を点灯し、この光源から発光した光を飾り物の意匠パターンに照射して透過することによって、飾り物の意匠パターンを所定色に発光表示している。
【０００３】
【発明が解決しようとする課題】
一般に、電球や発光ダイオードなどの光源は、例えば厚さ０．５ミリメートル、面積２０平方ミリメートルなどのように、薄くて広い面積を有し、しかも動植物や乗り物などの意匠パターンを有する単体に構成するのはむずかしい。
【０００４】
このため、上記飾り物の内部に電球などの光源を配置する複雑な構造を取らなければならないうえ、遊技球の通り道の邪魔とならないように電球を設置する必要から、電球設置に制約が多く、飾り物の前面に適切に設けた意匠パターンを鮮明な色に発光表示するのはほとんど不可能に近かった。
【０００５】
そこで、この発明は、遊技球の道筋に支障を招くことなく、飾り物の前面を鮮明な色に発光表示することができる電飾装置およびその製造方法を提供するものである。
【０００６】
【課題を解決するための手段】
この発明の電飾装置は、遊技板の前面に取り付けられる飾り物の遊技板の前面から前側に離れた前面に設けられ、遊技板の裏面からの電力供給により発光表示する遊技機の電飾装置であって、飾り物の前面とほぼ同じ外形を有する表示プレート、表示プレートの裏面に付設されたエレクトロルミネッセンスプレート、エレクトロルミネッセンスプレートの裏面に付設された接着剤および剥離紙から構成され、表示プレートが、光透過性樹脂板の裏面に光透過性を有するデサイン化された意匠印刷、意匠印刷の表示部以外の部分に遮光部を構成する遮光印刷、意匠印刷の遮光印刷抜きされた部分で構成された表示部を備えた構成であり、エレクトロルミネッセンスプレートが、透明電極、背面電極、透明電極と背面電極との間に設けられた発光層、透明電極と背面電極とから一体に延びて飾り物を経由して遊技板の裏面に引き出される引き出し線、透明電極と背面電極との絶縁を保持するとともに透明電極の引き出し線と背面電極からの引き出し線との絶縁を保持する絶縁層とを備えたことを最も特徴とする。この発明の電飾装置にあっては、遊技板の裏面に引き出された透明電極からの引き出し線の端部は、絶縁層の一表面が剥ぎ取られて引き出し線を露出した接続端子部を構成し、遊技板の裏面に引き出された背面電極からの引き出し線の端部は、絶縁層の一表面が剥ぎ取られて引き出し線を露出した接続端子部を構成し、飾り物における遊技板の裏側に突出した背部ユニットにはクリップが設けられ、遊技板の裏面には、エレクトロルミネッセンスプレートへの電力供給用の電気ユニットが設けられ、電気ユニットから延びる電気ユニット側フラットケーブルには露出する複数の導電体を有する接続端子部が設けられ、電気ユニット側フラットケーブルにおける接続端子部の複数の導電体と透明電極からの引き出し線の接続端子部に露出する導電体と背面電極からの引き出し線の接続端子部に露出する導電体とが互いにその極性を間違えないように重ね合わせられたままクリップの相対峙する二つの挟持片の間の隙間に上方より挿入されることによってクリップの相対峙する二つの挟持片の弾性押圧下で重ね合わせに接続されてもよい。
【０００７】
【作用】
この発明の電飾装置によれば、剥離紙を剥がし、接着剤を飾り物の遊技板の前面から前側に離れる前面に押し付けることによって、電飾装置が飾り物の遊技板の前面から前側に離れる前面に取り付けられる。エレクトロルミネッセンスプレートの発光層が電気的に発光した場合には、エレクトロルミネッセンスプレートの発光層の発光色と表示プレートの光透過性を有するデサイン化された意匠印刷からなる表示部の発光色とが混合した色で発光表示し、エレクトロルミネッセンスプレートの発光層が電気的に発光していない場合はには、表示プレートの光透過性を有するデサイン化された意匠印刷からなる表示部の発光色による表示が得られる。また、電気ユニット側フラットケーブルにおける複数の導電体と透明電極からの引き出し線における導電体と背面電極からの引き出し線における導電体とを互いにその極性を間違えないように重ね合わたままクリップの相対峙する二つの挟持片の間の隙間に挿入することによって、電気ユニット側フラットケーブルとエレクトロルミネッセンスプレートの引き出し線とがクリップの弾性作用下で接続される。
【０００８】
【実施例】
以下、この発明の一実施例を図面とともに詳述する。
【０００９】
図１は実施例の電飾装置を示す図、図２は同電飾装置の製造方法を示すフローチャート、図３は実施例のゲージ盤を示す正面図、図４は実施例の電飾装置をゲージ盤上の飾り物に取り付けた断面図、図５は実施例の電飾装置の引き出し線と電気ユニット側フラットケーブルとの接続を示す断面図、図６は引き出し線の接続端子部および電気ユニット側フラットケーブルの接続端子部を重ね合わせる状態を示す平面図である。
【００１０】
図３において、遊技板２０はほぼ方形のベニヤ板の前面に図外のデザイン図の印刷されたセル板を接着し、セル板上には図外の発射装置から発射された遊技球を遊技領域に誘導するバンド２１を設置し、このバンド２１内における遊技領域の中央部にはセンタ役物２２、その周囲の遊技領域には左右のランプ風車２３、左右の入賞口２４、左右の電動チューリップ２５、下部の始動口２６、最下部のアウト口２７および全体に点在する多数の遊技釘２８それぞれを取り付け、バンド２１外における非遊技領域の上部には賞球ランプ２９およびストップランプ３０を取り付け、以て、遊技板２０がゲージ盤となる。
【００１１】
上記バンド２１、入賞口２４、アウト口２７および遊技釘２８以外の飾り物、つまりセンタ役物２２、ランプ風車２３、電動チューリップ２５、始動口２６、賞球ランプ２９およびストップランプ３０などの飾り物は、それぞれの網目模様を描いた前面にカラフルな色彩およびデザインされた薄物の電飾装置１を有する。
【００１２】
例えば、センタ役物２２に用いられた電飾装置１を例として図１を参照して説明すると、この電飾装置１は、大まかには、Ａ図に示す正面図ではセンタ役物２２の上部前面とほぼ同じ外形を有する意匠パターン２、意匠パターン２中の表示部３、意匠パターン２中の表示部３以外の部分である遮光部４、および引き出し線５を備え、Ｂ図に示す断面図では表示プレート６、表示プレート６の裏面に付設されたエレクトロルミネッセンスプレート７、エレクトロルミネッセンスプレート７の裏面に付設された接着剤８および剥離紙９から構成される。
【００１３】
表示プレート６は、光透過性樹脂板６ａの裏面に光透過性を有する単色または複数色からなる例えば煙りを吐く船のようなデサイン化された意匠印刷６ｂを備え、この意匠印刷６ｂの表示部３以外の部分に遮光印刷６ｃを備え、意匠印刷６ｂの遮光印刷抜きされた部分が表示部３となり、遮光印刷６ｃが遮光部４となり、この遮光印刷６ｃは例えば宝くじにおいてコインなどで剥がす部分に使用されている銀色の光を遮る性質を有する素材にて構成される。
【００１４】
エレクトロルミネッセンスプレート７は透明電極７ａと背面電極７ｂとの間に発光層７ｃを有し、透明電極７ａおよび背面電極７ｂは意匠パターン２および引き出し線５を含む正面形状を備え、発光層７ｃは意匠パターン２より少し小さなＡ図に点線で示す正面形状を有し、その発光層７ｃの外縁には透明電極７ａと背面電極７ｂとの絶縁を保持する絶縁層７ｄを備え、発光層７ｃは樹脂バインダ中に８０〜９０ウエイトパーセントの比率で蛍光体を分散し、透明電極７ａと背面電極７ｂとの間に電圧を加えることによって、発光層７ｃ中の蛍光体が所定色に発光し、その発光が透明電極７ａを透過して発光表示する（日経ＢＰ社；ＮＩＫＫＥＩ  ＭＡＴＥＲＩＡＬＳ＆ＴＥＣＨＮＯＬＯＧＹ；９４．１（ｎｏ．１３７参照）。
【００１５】
なお図１のＡ図中の符号１０は引き出し線５を含む意匠パターン２を型抜き成形する前の原型（オリジナルパターン）を示す。
【００１６】
上記絶縁層７ｄは引き出し線５の部分にも存在するが、この部分では透明電極７ａおよび背面電極７ｂは絶縁層７ｄ中に並列配置に敷設され、引き出し線５の端部において、絶縁層７ｄの一表面が剥ぎ取られて透明電極７ａおよび背面電極７ｂが露出し、絶縁層７ｄの他表面が露出した透明電極７ａおよび背面電極７ｂに裏打ちされた接続端子部を構成する（図６参照）。
【００１７】
この電飾装置１の製造工程について図２を用いて説明すると、原型１０の光透過性樹脂板６ａを構成する透明フィルムの裏面に意匠印刷６ｂを行い、この意匠印刷６ｂの表示部３以外の部分に遮光印刷６ｃを行い、この透明フィルム６ａの遮光印刷６ｂおよび意匠印刷６ｃ側の裏面に原型１０のエレクトロルミネッセンスプレート（ＥＬプレート）７を熱圧着し、このエレクトロルミネッセンスプレート７の裏面に接着剤８および剥離紙９を含むのり付けを行い、これらの接着剤８と剥離紙９とエレクトロルミネッセンスプレート７と意匠印刷６ｂと遮光印刷６ｃおよび透明フィルム６ａからなる原型１０の積層体を引き出し線５を含む意匠パターン２に型抜き成形することによって、図１のＡ図に実線で示す外形を有する電飾装置１が完成する。
【００１８】
この実施例では、エレクトロルミネッセンスプレートメーカ（製造業者）が図１のＡ図に点線で示す形状の発光層７ａ、つまり型抜きされる意匠パターン２よりも少し小さな形状の発光層７ａを有する仮想線示の原型１０のエレクトロルミネッセンスプレート７を製造して印刷メーカに納入する。
【００１９】
印刷メーカは、原型１０の透明フィルム６ａに意匠印刷６ｂおよび遮光印刷６ｃを行い、その透明フィルム６ａの裏面を上記購入したエレクトロルミネッセンスプレート７の透明電極７ａに重ね合わせて熱圧着して、透明フィルム６ａとエレクトロルミネッセンスプレート７とをその間に意匠印刷６ｂおよび遮光印刷６ｃ介在した状態で一体に結合し、そのエレクトロルミネッセンスプレート７の背面電極７ｃの裏面に接着剤８を層状に形成し、その接着剤８の裏面に剥離紙９を付設した後に、プレス機械などで原型１０から図１のＡ図に実線で示す引き出し線５を含む意匠パターン２の型抜きを行うことで、意匠パターン２の表示部３を構成する絵が意匠パターン２の遮光部４と位置ずれを発生することが無く、薄物の電飾装置１を完成して飾り物メーカに納入する。
【００２０】
飾り物メーカは、電飾装置１から剥離紙９を剥がすとともに、電飾装置１の引き出し線５を図４に示す組み立ての完了したセンタ役物２２のベース２２ａに形成された貫通孔２２ｂに前面より挿入し、電飾装置１の裏面に露出した接着剤８をセンタ役物２２の前面２２ｃに重ね合わせて押圧し、薄物の電飾装置１をセンタ役物２２の前面２２ｃに取り付けた後に、パチンコ機メーカに納入する。
【００２１】
この飾り物メーカで電飾装置１の付設されたセンタ役物２２をパチンコ機メーカに出荷するのに先駆けて、貫通孔２２ｂからベース２２ａの裏面に引き出された引き出し線５の中間部をセンタ役物２２の遊技板２０の裏側に突出配置される背部ユニット２２ｄの側面に図外の接着テープにて添付しておけば、後述するパチンコ機メーカでのセンタ役物２２の組み付け性が向上する。
【００２２】
パチンコ機メーカでは、飾り物の遊技板２０への組み付け工程にて、電飾装置１の付いたセンタ役物２２を遊技板２０に取り付ける場合、図４に示すように、センタ役物２２の背部ユニット２２ｄおよびベース２２ａの裏面より出ている引き出し線５を遊技板２０に形成されたセンタ役物用開口２０ａに前面より挿入し、ベース２２ａの周縁をセンタ役物用開口２０ａまわりの遊技板２０の前面に位置する図外のセル板に当接し、ベース２２ａの周縁に形成され図外のねじ挿入用の貫通孔より木ねじのようなねじ釘を遊技板２０に形成された下穴を介して締結することにより、センタ役物２２を遊技板２０に取り付ける。
【００２３】
そして、遊技板２０の裏面にエレクトロルミネッセンスプレート７への電力供給用の図外の電気ユニットや遊技制御ユニットなどの各種の機能部品を取り付けた後に、電気ユニットから延びる電気ユニット側フラットケーブル１１の接続端子部を上記遊技板２０の裏側に突出した引き出し線５の接続端子部に、センタ役物２２の背部ユニット２２ｄに設けたクリップ１２を用いて接続する。
【００２４】
このクリップ１２による接続は、図６に示すように、電気ユニット側フラットケーブル１１の接続端子部に露出する導電体１１ａと引き出し線５の接続端子部に露出する導電体５ａを互いにその極性を間違えないように矢印方向に重ね合わせたまま、図５に示すように、電気ユニット側フラットケーブル１１の接続端子部と引き出し線５の接続端子部とをクリップ１２の相対峙する二つの挟持片１２ａ，１２ｂ間の隙間に上方より挿入することによって、その挿入過程において、図５の点線示から実線示のように、二つの挟持片１２ａ，１２ｂがその弾力に抗して電気ユニット側フラットケーブル１１の接続端子部と引き出し線５の接続端子部とで互いに外側に押し開かれつつその復元弾力にて電気ユニット側フラットケーブル１１の接続端子部と引き出し線５の接続端子部とを一体に保持し、以て、電気ユニット側フラットケーブル１１の接続端子部の導電体１１ａと引き出し線５の接続端子部の導電体５ａとが弾性押圧下で重ね合わせに接続される。
【００２５】
したがって、この実施例構造によれば、図外の遊技制御ユニットが遊技情報に応じ電気ユニットを制御することにより、所定の電圧を持つ電力が電気ユニットからエレクトロルミネッセンスプレート７の透明電極７ａと背面電極７ｂとに供給され、この電力供給の間、エレクトロルミネッセンスプレート７の発光層７ｃが所定色の光を発光し、この発光層７ｃにより発光された光が、意匠印刷６ｂおよび光透過性樹脂板６ａを透過し、意匠パターン２の表示部３がその意匠印刷６ａの持つ所定色を鮮明な色にて発光表示して視認でき、遮光部６ｃでは上記発光層７ｃからの光は遮光されて透過しないけれども、その遮光印刷６ｃの銀色系の色彩により、意匠パターン２の遮光部４の前面にある意匠印刷６ａが光透過性樹脂板６ａを通して鮮明な所定色にて浮き上がるように視認できる。
【００２６】
上記実施例では電飾装置１は使用する素材を適切に選定することにより、剥離紙９を除く全体の厚さを、例えば０．５ミリメートル程度に作ることは容易であることから、遊技球の道筋に支障を招くことなく、図３に示すセンタ役物２２以外のランプ風車２３、電動チューリップ２５、始動口２６、賞球ランプ２９およびストップランプ３０などの飾り物の前面をも鮮明な色に発光表示することができる。
【００２７】
上記接着剤８は両面粘着テープまたは不乾性薬剤の接着剤を使用しても同様の作用効果がある。
【００２８】
上記意匠パターン２には遮光印刷６ｃによる遮光部４を有するが、この遮光部４を設けることなく、意匠パターン２の全域をエレクトロルミネッセンスプレート７の裏打ちされた意匠印刷６ｂに形成し、その意匠パターン７の全域を発光層７ｃにより発光表示する表示部３に形成し、発光表示の領域を広げ、その意匠パターン２の色彩の発光変化によって、遊技性を高めることができる。
【００２９】
上記クリップ１２は二つの挟持片１２ａ，１２ｂを有する縦型を例として図示して説明したが、図７に示すように、クリップ１２Ａを飾り物３１の外面と、その外面より片持ち支持に突出する一つの挟持片１２ｃとで構成し、一つの挟持片１２ｃの点線示から実線示への弾性変形により、電気ユニット側フラットケーブル１１の接続端子部の導電体１１ａと引き出し線５の接続端子部の導電体５ａとを弾性押圧下で重ね合わせに接続することも可能である。
【００３０】
上記実施例はのり付けにて接着剤８を設けた例を図示して説明したが、のり付けを行わずに、表示プレート６の裏面にエレクトロルミネッセンスプレート７を熱圧着したままで電飾装置１Ａを構成することも可能である。
【００３１】
この場合には、図８に示すように、電飾装置１Ａを飾り物３１の前面にフレーム３２にて嵌め殺しに装着し、フレーム３２による額縁効果による高級感を醸し出すことができる。
【００３２】
上記実施例のエレクトロルミネッセンスプレート７として透明保護膜を有するものを使用し、発光層７ｃにて表示プレート６における意匠パターン２と同様の色彩と絵柄を構成し、表示プレート６を省略してエレクトロルミネッセンスプレート７をそのまま飾り物の前面に取り付ければ、電飾装置１または１Ａの構造を一層薄い簡素なものにできる。
【００３３】
図１において、原型１０は一つの電飾装置１または１Ａに合わせた大きさに図示したが、一つの原型１０で複数の電飾装置１または１Ａを型抜きすることも可能である。
【００３４】
上記実施例ではエレクトロルミネッセンスプレートメーカ、印刷メーカ、役物メーカおよびパチンコ機メーカごとの分業でコスト的に有利に製造する過程を例として説明したが、単一企業内で製造することも可能である。
【００３５】
さらに、上記実施例では表示プレート６の裏面にエレクトロルミネッセンスプレート７を一体に結合するのに熱圧着を用いる作業性の良い例を図示して説明したが、接着剤を用いて表示プレート６とエレクトロルミネッセンスプレート７とを一体に結合することも可能であり、この接着剤としては表示プレート６とエレクトロルミネッセンスプレート７を一体に結合する固相状態において例えば透明または半透明など光透過性を有するものを用いることは勿論である。
【００３６】
【発明の効果】
以上説明したように、この発明によれば、次のような効果がある。
請求項１によれば、電飾装置が遊技板の前面に取り付けられる飾り物の遊技板の前面から前側に離れた前面に設けられているので、電飾装置が遊技板の前面を流れる遊技球の道筋に支障を招くことがないという利点がある。電飾装置における表示プレートが、光透過性樹脂板の裏面に、光透過性を有するデサイン化された意匠印刷、意匠印刷による表示部以外の部分に遮光部を構成する遮光印刷、意匠印刷の遮光印刷抜きされた部分で構成された表示部を備えた構成であるので、電飾装置が電気的に発光表示した場合、表示部を構成する意匠印刷による発光色とエレクトロルミネッセンスプレートにおける発光層による発光色とからなる合成色となる。よって、電飾装置が発光表示する色を変更する場合、表示プレートに比べ高価なエレクトロルミネッセンスプレートを作り変えることなく、表示プレートを異なるものに作り変え、この作り変えた新たな表示プレートの裏面に上記作り変えていないエレクトロルミネッセンスプレートを付設すればよい。つまり、電飾装置における表示プレートが、光透過性樹脂板の裏面に、光透過性を有するデサイン化された意匠印刷、意匠印刷による表示部以外の部分に遮光部を構成する遮光印刷、意匠印刷の遮光印刷抜きされた部分で構成された表示部を備えた構成であるので、表示プレートで描ける色彩や絵柄の幅が増加するうえエレクトロルミネッセンスプレートの発光層が発光表示した場合と非発光表示した場合の両方の場合において、鮮明な色彩の組み合わせによる表示が得られる。また、エレクトロルミネッセンスプレートが、透明電極、背面電極、透明電極と背面電極との間に設けられた発光層、透明電極と背面電極とから一体に延びて飾り物を経由して遊技板の裏面に引き出される引き出し線、透明電極と背面電極との絶縁を保持するとともに透明電極の引き出し線と背面電極からの引き出し線との絶縁を保持する絶縁層とを備えた正面形状に構成されているので、エレクトロルミネッセンスプレートへの電力供給用の電気ユニットとの接続のための配線を、エレクトロルミネッセンスプレートの透明電極と背面電極に接続しないで、引き出し線に接続すればよいので、配線作業が簡単となるという利点がある。しかも、透明電極の引き出し線と背面電極からの引き出し線とが絶縁層で互いに絶縁されているので、引き出し線どうしの電気的な短絡事故も未然に防止することができるという利点がある。請求項２によれば、電気ユニット側フラットケーブルにおける接続端子部の複数の導電体と透明電極からの引き出し線の接続端子部に露出する導電体と背面電極からの引き出し線の接続端子部に露出する導電体とが互いにその極性を間違えないように重ね合わせられたままクリップの相対峙する二つの挟持片の間の隙間に挿入されるクリップの相対峙する二つの挟持片の弾性押圧下で重ね合わせに接続されるので、電気ユニット側フラットケーブルと電飾装置における透明電極からの引き出し線と背面電極からの引き出し線との配線作業が簡単となるという利点がある。
【図面の簡単な説明】
【図１】  実施例の電飾装置を示すもので、Ａ図は正面図、Ｂ図はＡ図のＡ−Ａ線断面図。
【図２】  同実施例の電飾装置の製造方法を示すフローチャート。
【図３】  実施例のゲージ盤を示す正面図。
【図４】  実施例の電飾装置を飾り物に取り付けた断面図。
【図５】  実施例の電飾装置の引き出し線と電気ユニット側フラットケーブルとの接続を示す断面図。
【図６】  引き出し線および電気ユニット側フラットケーブルそれぞれの接続端子部を重ね合わせる状態を示す平面図。
【図７】  異なる実施例の電飾装置の引き出し線と電気ユニット側フラットケーブルとの接続を示す断面図。
【図８】  異なる実施例の電飾装置の飾り物への取り付けを示すもので、Ａ図は正面図、Ｂ図はＡ図のＢ−Ｂ線断面図。
【符号の説明】
１，１Ａ  電飾装置
２    意匠パターン
３    表示部
４    遮光部
５    引き出し線
６    表示プレート
６ａ  光透過性樹脂板
６ｂ  意匠印刷
６ｃ  遮光印刷
７    エレクトロルミネッセンスプレート
７ａ  透明電極
７ｂ  背面電極
７ｃ  発光層
７ｄ  絶縁層
８    接着剤
９    剥離紙
１０  原型
【図１】
0003638325.tif 000002
【図２】
0003638325.tif 000003
【図３】
0003638325.tif 000004
【図４】
0003638325.tif 000005
【図５】
0003638325.tif 000006
【図６】
0003638325.tif 000007
【図７】
0003638325.tif 000008
【図８】
0003638325.tif 000009